(57)【要約】【課題】適度な柔軟性を維持して、沈み込むような感触を維持しつつ、使用者の姿勢を保持することができるビーズクッションを提供する。【解決手段】ビーズクッションＣは、座部となる第１袋体１０と、第１袋体１０に連接され、背凭部となる第２袋体２０とを備える。各袋体１０，２０は、下面部１１，２１と、下面部１１，２１の周縁部に立設された環状の壁部１２，２２と、下面部１１，２１に対向するように壁部１２，２２に連設された上面部１３，２３とを有する。壁部１２，２２は、上面部１３，２３よりも伸縮性の低い素材で形成される。【選択図】図１
2018089102.tif 000002
【特許請求の範囲】
【請求項１】
粒状の充填物を袋体に充填したビーズクッションであって、
座部となる第１袋体と、前記第１袋体とは別体であり、前記第１袋体に連接され、背凭部となる第２袋体とを備え、
前記第１袋体は、第１下面部と、前記第１下面部の周縁部に立設された環状の第１壁部と、前記第１下面部に対向するように前記第１壁部に連設された第１上面部とを有し、
前記第２袋体は、第２下面部と、前記第２下面部の周縁部に立設された環状の第２壁部と、前記第２下面部に対向するように前記第２壁部に連設された第２上面部とを有し、
前記第１壁部は、前記第１上面部よりも伸縮性の低い素材で形成され、
前記第２壁部は、前記第２上面部よりも伸縮性の低い素材で形成されていることを特徴とするビーズクッション。
【請求項２】
請求項１に記載のビーズクッションにおいて、
前記第１袋体の前記第１壁部は、前記第２袋体から離れるほど高くなり、
前記第２袋体の前記第２壁部は、前記第１袋体から離れるほど高くなり、
前記第１壁部の最も高い部分の高さは、前記第２壁部の最も高い部分の高さよりも低いことを特徴とするビーズクッション。
【請求項３】
請求項１又は請求項２に記載のビーズクッションにおいて、
前記第１袋体と前記第２袋体とは、前記第１壁部の上縁部の一部と前記第２壁部の上縁部の一部とを折曲自在に連結することによって接続されていることを特徴とするビーズクッション。
【請求項４】
請求項３に記載のビーズクッションにおいて、
前記第１壁部は、平面視で、多角形状又は半円形状であり、
前記第２壁部は、平面視で、前記第１袋体と前記第２袋体との接続部分を対称軸として前記第１壁部と線対称となる多角形状又は半円形状であることを特徴とするビーズクッション。
【発明の詳細な説明】
【技術分野】
【０００１】
本発明は、粒状の充填物を袋体に充填したビーズクッションに関する。
【背景技術】
【０００２】
従来、粒状の充填物を袋体に充填したビーズクッションが知られている。この種のビーズクッションとしては、袋体を構成する部分のうち、使用者の臀部及び大腿部等に当接する座部となる部分を、平坦な形状とし、使用者の腰又は背中等に当接する背凭部となる部分を、中央部分から離れるにしたがって高くなるように傾斜した形状としたものが知られている（例えば、特許文献１参照）。
【先行技術文献】
【特許文献】
【０００３】
【特許文献１】特開平１１−５６５３５号公報
【発明の概要】
【発明が解決しようとする課題】
【０００４】
ところで、特許文献１に記載のような従来のビーズクッションは、座部と背凭部を構成する袋体が単一の袋体として構成されているので、使用者の姿勢（すなわち、加わる荷重の偏り）によっては、充填物が座部側及び背凭部側のいずれか一方に偏るように移動してしまうおそれがあった。
【０００５】
そして、そのように充填物が偏ってしまった場合には、充填物の量が極端に少ない部分又は多い部分で柔軟性が不足してしまい、沈み込むような感触を維持しつつ、使用者の姿勢を保持することができなくなるという問題があった。
【０００６】
本発明は以上の点に鑑みてなされたものであり、沈み込むような感触を維持しつつ、使用者の姿勢を保持することができるビーズクッションを提供することを目的とする。
【課題を解決するための手段】
【０００７】
上記目的を達成するために、本発明のビーズクッションは、粒状の充填物を袋体に充填したビーズクッションであって、座部となる第１袋体と、前記第１袋体とは別体であり、前記第１袋体に連接され、背凭部となる第２袋体とを備え、前記第１袋体は、第１下面部と、前記第１下面部の周縁部に立設された環状の第１壁部と、前記第１下面部に対向するように前記第１壁部に連設された第１上面部とを有し、前記第２袋体は、第２下面部と、前記第２下面部の周縁部に立設された環状の第２壁部と、前記第２下面部に対向するように前記第２壁部に連設された第２上面部とを有し、前記第１壁部は、前記第１上面部よりも伸縮性の低い素材で形成され、前記第２壁部は、前記第２上面部よりも伸縮性の低い素材で形成されていることを特徴とする。
【０００８】
このように、本発明のビーズクッションは、使用者の臀部及び大腿部等に当接する座部となる第１袋体と、その第１袋体とは独立した袋体であって、使用者の腰又は背中等に当接する背凭部となる第２袋体で構成されている。これにより、第１袋体と第２袋体との間における充填物の移動が防止されるので、充填物は、座部側及び背凭部側のいずれか一方側に極端に偏ってしまうことがなく、ある程度均一に分散した状態で維持される。
【０００９】
また、本発明のビーズクッションの各袋体は、使用者の体重が加わった際にも上面部に比べて大きく変形することがない壁部を備えている。これにより、各袋体では水平方向に拡がるような変形が防止されるので、各袋体の厚さは、加わる荷重（例えば、使用者の体重）によらず、ある程度の範囲内で維持される。
【００１０】
そして、充填物がある程度均一に分散した状態で維持され、且つ、各袋体の厚さがある程度の範囲内で維持されることにより、本発明のビーズクッションは、使用者の姿勢（すなわち、加わる荷重の偏り）によらず、荷重に対して適度に沈み込む程度の適度な柔軟性が維持される。したがって、本発明のビーズクッションによれば、適度な柔軟性が維持されるので、沈み込むような感触を維持しつつ、使用者の姿勢を保持することができる。
【００１１】
また、本発明のビーズクッションにおいては、前記第１袋体の前記第１壁部は、前記第２袋体から離れるほど高くなり、前記第２袋体の前記第２壁部は、前記第１袋体から離れるほど高くなり、前記第１壁部の最も高い部分の高さは、前記第２壁部の最も高い部分の高さよりも低いことが好ましい。
【００１２】
このように第１袋体を構成すると、ビーズクッションは、使用者が背凭部に腰又は背中を凭れさせつつ、座部に臀部及び大腿部を支持させて、膝をわずかに曲げた姿勢に適した形状となる。この姿勢は、使用者が仰向けに寝た場合に自然にとる姿勢であり、且つ、ビーズクッションの一部に極端に荷重が加わる姿勢ではない。
【００１３】
すなわち、このように第１袋体を構成すると、使用者が着座する際の姿勢を所定の姿勢に自然に誘導することができるので、ビーズクッションに加わる荷重の偏りをさらに軽減することができる。その結果、さらに適度な柔軟性を維持しやすくなるので、さらに沈み込むような感触を維持しつつ、使用者の姿勢を保持することができるようになる。
【００１４】
また、本発明のビーズクッションにおいては、前記第１袋体と前記第２袋体とは、前記第１壁部の上縁部の一部と前記第２壁部の上縁部の一部とを折曲自在に連結することによって接続されていることが好ましい。
【００１５】
このように、第１袋体と第２袋体を接続すると、ビーズクッションをその接続部分で折り畳むことにより、第１下面部及び第２下面部のいずれか一方を座面とし、他方を接地面とするスツール型のクッションに変形させることができるようになる。
【００１６】
なお、第１下面部及び第２下面部を第１壁部及び第２壁部と同様に伸縮性の低い素材で形成した場合には、変形後のスツール型のクッションは、外皮となる部分がいずれも伸縮性の低いものとなる。これにより、変形後のスツール型のクッションは、着座しても使用者の身体が沈み込まず、ビーズクッションとは異なる感触の厚めのクッションとなる。
【００１７】
また、本発明のビーズクッションにおいては、折り畳み可能な形状とした場合には、前記第１壁部は、平面視で、多角形状又は半円形状であり、前記第２壁部は、平面視で、前記第１袋体と前記第２袋体との接続部分を対称軸として前記第１壁部と線対称となる多角形状又は半円形状であることが好ましい。
【００１８】
このように、第１壁部と第２壁部とを線対称とすると、折り畳んだ際に、第１袋体と第２袋体とが一体的な形状となる。これにより、折り畳んでスツール型のクッションとして使用する際の美観を向上させることができるようになる。
【図面の簡単な説明】
【００１９】
【図１】実施形態に係るビーズクッションの形状を示す斜視図であって、図１Ａは通常時の形状を示し、図１Ｂは折り畳み時の形状を示す。
【図２】図１のビーズクッションの使用方法を示す斜視図であって、図２Ａは通常状態の使用方法を示し、図２Ｂは折り畳み状態の使用方法を示す。
【図３】図１のビーズクッションの形状を示す平面図であって、図３Ａは通常時の形状を示し、図３Ｂは折り畳み時の形状を示す。
【発明を実施するための形態】
【００２０】
以下、図面を参照して、本発明の実施形態を説明する。
【００２１】
まず、図１及び図２を参照して、ビーズクッションＣの構成について説明する。
【００２２】
図１に示すように、ビーズクッションＣは、第１袋体１０と、第１袋体１０とは別体であり、第１袋体１０に連接された第２袋体２０と、第１袋体１０及び第２袋体２０の各々に充填された充填物とで構成されている。
【００２３】
第１袋体１０と第２袋体２０とは、後述する第１壁部１２の上縁部と第２壁部２２の上縁部とを縫製することによって、折曲自在に連結されている。そのため、ビーズクッションＣは、図２Ａに示すように、使用者Ｕが上体を凭れさせて寝転がるようにして使用する通常状態と、図２Ｂに示すように、使用者Ｕが上体を起こして座るようにして使用する折り畳み状態とを切換自在となっている。
【００２４】
充填物は、第１袋体１０及び第２袋体２０に直接充填してもよいし、内袋に充填物を詰めて、その内袋を第１袋体１０及び第２袋体２０に収納させてもよい。充填物は、粒状のものであればよい。例えば、直径約０．５ｍｍの発泡ポリスチレンビーズの粒を用いればよい。
【００２５】
第１袋体１０は、通常状態（図１Ａ）においでは、使用者Ｕの臀部及び大腿部等に当接する座部を構成し、折り畳み状態（図１Ｂ）においては、ビーズクッションＣの下側部分を構成する。
【００２６】
第１袋体１０は、通常状態（図１Ａ）及び折り畳み状態（図１Ｂ）のいずれの状態においても接地面となる第１下面部１１と、第１下面部の周縁部に立設された環状の第１壁部１２と（図３Ａ参照）、第１下面部１１に対向するように第１壁部１２に連設された第１上面部１３と、第１壁部１２の第２袋体２０とは反対側となる位置に取り付けられた第１取手部１４とを有している。
【００２７】
第１下面部１１及び第１壁部１２は、例えば、綿（デニム生地）等の比較的伸縮性の低い素材で構成されている。一方、第１上面部１３は、例えば、ポリエステル等の比較的伸縮性の高い素材で構成されている。
【００２８】
第２袋体２０は、通常状態（図１Ａ）においては、使用者Ｕの腰又は背中等に当接する背凭部を構成し、折り畳み状態（図１Ｂ）においては、ビーズクッションＣの上側部分（すなわち、使用者Ｕの臀部等に当接する座部）を構成する。
【００２９】
第２袋体２０は、通常時（図１Ａ）においては接地面となり、折り畳み時（図１Ｂ）においては使用者Ｕの臀部等と当接する座部となる第２下面部２１と、第２下面部２１の周縁部に立設された環状の第２壁部２２と（図３Ａ参照）、第２下面部２１に対向するように第２壁部２２に連設された第２上面部２３と、第２壁部２２の第１袋体１０とは反対側となる位置に取り付けられた第２取手部２４とを有している。
【００３０】
このように、ビーズクッションＣは、使用者Ｕの臀部及び大腿部に当接する座部となる第１袋体１０と、その第１袋体１０とは独立した袋体であって、使用者Ｕの腰又は背中等に当接する背凭部となる第２袋体２０とで構成されている。
【００３１】
これにより、第１袋体１０と第２袋体２０との間における充填物の移動が防止されるので、充填物は、座部側及び背凭部側のいずれか一方側に極端に偏ってしまうことがなく、ある程度均一に分散した状態で維持される。
【００３２】
また、ビーズクッションＣを構成する第１袋体１０、第２袋体２０は、使用者Ｕの体重が加わった際に自由に伸縮する第１上面部１３及び第２上面部２３と、使用者Ｕの体重が加わった際にも大きく変形することがない第１壁部１２及び第２壁部２２とを備えている。
【００３３】
これにより、第１袋体１０及び第２袋体２０では水平方向に拡がるような変形が防止されるので、第１袋体１０及び第２袋体２０の厚さは、加わる荷重（例えば、使用者Ｕの体重）によらず、ある程度の範囲内で維持される。
【００３４】
そして、充填物がある程度均一に分散した状態で維持され、且つ、第１袋体１０及び第２袋体２０の厚さがある程度の範囲内で維持されることにより、ビーズクッションＣは、使用者Ｕの姿勢（すなわち、加わる荷重の偏り）によらず、荷重に対して適度に沈み込む程度の適度な柔軟性が維持される。したがって、ビーズクッションＣによれば、適度な柔軟性を維持されるので、沈み込むような感触を維持しつつ、使用者の姿勢を保持することができる。
【００３５】
なお、ビーズクッションＣでは、第１下面部１１及び第２下面部２１を、第１壁部１２及び第２壁部２２と同様に伸縮性の低い素材で形成している。これは、折り畳んでスツール型のクッションとして使用する場合に、外皮となる部分をいずれも伸縮性の低いものすることによって、着座しても使用者の身体が沈み込まず、通常状態とは異なる感触のクッションとするためである。
【００３６】
しかし、本発明のビーズクッションは、必ずしも第１下面部及び第２下面部を伸縮性の低い素材で形成する必要はなく、第１下面部及び第２下面部のいずれか一方又は両方を、第１上面部及び第２上面部と同様に、伸縮性の高い素材で形成してもよい。そのように構成した場合、ビーズクッションＣは、折り畳んだ際に、高さの高い（沈み込む深さの深い）ビーズクッションとなる。
【００３７】
ところで、図１Ａに示すように、第１袋体１０の第１壁部１２は、第２袋体２０（具体的には、図３Ａに示す第１袋体１０と第２袋体２０との境界線Ｌ）から離れるほど高くなるように構成されている。具体的には、第１壁部１２は、境界線Ｌの部分の高さＬ１（約８ｃｍ）よりも、境界線Ｌから最も離れた位置の高さＬ２（約１０ｃｍ）が高くなるように構成されている。
【００３８】
同様に、第２袋体２０の第２壁部２２は、第１袋体１０（境界線Ｌ）から離れるほど高くなるように構成されている。具体的には、第２壁部２２は、境界線Ｌの部分の高さＬ１（約８ｃｍ）よりも、境界線Ｌから最も離れた位置の高さＬ３（約２０ｃｍ）が高くなるように構成されている。
【００３９】
また、第１壁部１２の最も高い部分の高さは、第２壁部２２の最も高い部分の高さよりも低くなっている。具体的には、第１壁部１２の最も高い部分の高さＬ２（約１０ｃｍ）は、第２壁部２２の最も高い部分の高さＬ３（約２０ｃｍ）よりも低くなっている。
【００４０】
第１壁部１２及び第２壁部２２がこのように構成されているので、図２Ａに示すように、ビーズクッションＣは、使用者Ｕが背凭部（第２袋体２０の第２上面部２３）に腰又は背中を凭れさせつつ、座部（第１袋体１０の第１上面部１３）に臀部及び大腿部を支持させて、膝をわずかに曲げた姿勢に適した形状となっている。
【００４１】
この姿勢は、使用者Ｕが仰向けに寝た際に自然にとる姿勢であり、且つ、ビーズクッションＣの一部に極端に荷重が加わる姿勢ではないので、ビーズクッションＣの一部に極端に荷重（使用者Ｕの体重）が加わることがない。すなわち、ビーズクッションＣは、通常状態においては、使用者Ｕが着座する際の姿勢を所定の姿勢に自然に誘導することによって、適度な柔軟性の維持のし易さと使用者Ｕの姿勢の保持のし易さの向上を図っている。
【００４２】
なお、本発明のビーズクッションの第１壁部及び第２壁部の形状は、上記の形状に限定されるものではない。例えば、第１壁部及び第２壁部を一定の高さとなるように構成してもよい。このように構成した場合には、折り畳み状態で第１壁部の上縁部と第２壁部の上縁部とを全周において隙間なく一致させることができるので、ビーズクッションＣを折り畳んでスツール型のクッションとして使用する際の美観を向上させることができる。
【００４３】
また、図３に示すように、ビーズクッションＣでは、第１壁部１２は、平面視で、略半円形状であり、第２壁部２２は、平面視で、第１袋体１０と第２袋体２０との接続部分（境界線Ｌ）を対称軸として第１壁部１２と線対称となる半円形状となっている。
【００４４】
このように第１壁部１２と第２壁部２２とを線対称とすることにより、ビーズクッションＣでは、折り畳んだ際に、第１袋体１０と第２袋体２０とが一体的な形状となる（図３Ｂ参照）。これにより、折り畳んでスツール型のクッションとして使用する際の美観を向上させている。
【００４５】
なお、本発明のビーズクッションの第１壁部及び第２壁部の形状は、境界線を挟んで線対称となる多角形状であってもよい。また、必ずしも線対称としなくてもよい。
【００４６】
また、図１に示すように、第２袋体２０の第２取手部２４には、固定バンド３０が取り付けられている。この固定バンド３０は、ビーズクッションＣを折り畳んだ際に、第１取手部１４と第２取手部２４とを連結して、折り畳んだ状態を維持するために用いられる。なお、第１取手部１４、第２取手部２４及び固定バンド３０は、省略してもよい。
【００４７】
以上、図示の実施形態について説明したが、本発明はこのような形態に限られるものではない。
【００４８】
例えば、上記実施形態のビーズクッションＣでは、第１袋体１０の第１壁部１２の一部の上縁部と第２袋体２０の第２壁部２２の一部の上縁部とを縫製することによって、第１袋体１０と第２袋体２０とを折曲自在に連結している。これにより、通常の使用状態とスツール型のクッションとして使用する状態とを切換自在としている。
【００４９】
しかし、本発明のビーズクッションは、必ずしも第１壁部の上縁部と第２壁部の上縁部とを縫製によって連結する必要はない。例えば、ファスナー等を介して接続してもよい。また、本発明のビーズクッションは、必ずしも切換自在な構成とする必要はない。例えば、第１袋体の第１壁部の一部の側面と第２袋体の第２壁部の一部の側面とを接着して構成してもよい。
【符号の説明】
【００５０】
１０…第１袋体、１１…第１下面部、１２…第１壁部、１３…第１上面部、１４…第１取手部、２０…第２袋体、２１…第２下面部、２２…第２壁部、２３…第２上面部、３０…固定バンド、Ｃ…ビーズクッション、Ｌ…境界線、Ｕ…使用者。
【図１】
2018089102.tif 000003
【図２】
2018089102.tif 000004
【図３】
2018089102.tif 000005
【手続補正書】
【提出日】平成30年2月6日(2018.2.6)
【手続補正１】
【補正対象書類名】特許請求の範囲
【補正対象項目名】請求項１
【補正方法】変更
【補正の内容】
【請求項１】
粒状の充填物を袋体に充填したビーズクッションであって、
座部となる第１袋体と、前記第１袋体とは別体であり、前記第１袋体に連接され、背凭部となる第２袋体とを備え、
前記第１袋体は、第１下面部と、前記第１下面部に対向するように配置された第１上面部と、前記第１下面部の周縁部及び前記第１上面部の周縁部に連設され、前記第１下面部と前記第１上面部との間の空間を囲む第１壁部とを有し、
前記第２袋体は、第２下面部と、前記第２下面部に対向するように配置された第２上面部と、前記第２下面部の周縁部及び前記第２上面部の周縁部に連設され、前記第２下面部と前記第２上面部との間の空間を囲む第２壁部とを有し、
前記第１壁部は、前記第１上面部よりも伸縮性の低い素材で形成されて、前記第１上面部に使用者の体重が加わったときに前記第１袋体の水平方向への変形を抑制し、
前記第２壁部は、前記第２上面部よりも伸縮性の低い素材で形成されて、前記第２上面部に使用者の体重が加わったときに前記第２袋体の水平方向への変形を抑制することを特徴とするビーズクッション。
【手続補正２】
【補正対象書類名】明細書
【補正対象項目名】０００７
【補正方法】変更
【補正の内容】
【０００７】
上記目的を達成するために、本発明のビーズクッションは、
粒状の充填物を袋体に充填したビーズクッションであって、
座部となる第１袋体と、前記第１袋体とは別体であり、前記第１袋体に連接され、背凭部となる第２袋体とを備え、
前記第１袋体は、第１下面部と、前記第１下面部に対向するように配置された第１上面部と、前記第１下面部の周縁部及び前記第１上面部の周縁部に連設され、前記第１下面部と前記第１上面部との間の空間を囲む第１壁部とを有し、
前記第２袋体は、第２下面部と、前記第２下面部に対向するように配置された第２上面部と、前記第２下面部の周縁部及び前記第２上面部の周縁部に連設され、前記第２下面部と前記第２上面部との間の空間を囲む第２壁部とを有し、
前記第１壁部は、前記第１上面部よりも伸縮性の低い素材で形成されて、前記第１上面部に使用者の体重が加わったときに前記第１袋体の水平方向への変形を抑制し、
前記第２壁部は、前記第２上面部よりも伸縮性の低い素材で形成されて、前記第２上面部に使用者の体重が加わったときに前記第２袋体の水平方向への変形を抑制することを特徴とする。